(57)【要約】【課題】微小ラップ衝突時におけるフロントピラーからの荷重によってステアリングコラムが変位することを抑制する。【解決手段】自動車の運転席側が微小ラップ衝突をすることにより、運転席側のフロントピラー１８Ｒが車両後方側へ変形すると、通常時にはインパネリインフォースメント１４の車幅方向端部をフロントピラー１８Ｒに固定している固定手段（固定ブラケット２４Ｒ、ボルト２６及びウェルドナット２８）が、両者の相対移動を許容する。【選択図】図２
2015016718.tif 000002
【特許請求の範囲】
【請求項１】
車室の前部に設けられたステアリングコラムと、
車室の前部に車幅方向に沿って設けられ、前記ステアリングコラムが取り付けられたインパネリインフォースメントと、
前記インパネリインフォースメントの車幅方向端部をフロントピラーに固定すると共に、前記フロントピラーが衝突荷重によって車両後方側へ変形する際には前記インパネリインフォースメントと前記フロントピラーとの相対移動を許容する固定手段と、
を備えた自動車の車室前部構造。
【請求項２】
前記固定手段は、前記インパネリインフォースメントの車幅方向端部に設けられた固定ブラケットと、当該固定ブラケット及び前記フロントピラーを貫通した状態で両者を締結した締結具とによって構成されており、前記固定ブラケット及び前記フロントピラーの少なくとも一方における前記締結具の貫通部が、車両前後方向を長手とする長尺状に形成されている請求項１に記載の自動車の車室前部構造。
【請求項３】
前記固定手段は、前記インパネリインフォースメントの車幅方向端部に設けられた固定ブラケットと、当該固定ブラケット及び前記フロントピラーを貫通した状態で両者を締結した締結具とによって構成されており、前記固定ブラケットには、前記締結具の車両後方側の部分に脆弱部が設けられている請求項１に記載の自動車の車室前部構造。
【請求項４】
前記固定手段は、前記フロントピラーの前記変形によって破断する固定具である請求項１に記載の自動車の車室前部構造。
【請求項５】
車室の前部に設けられたステアリングコラムと、
車室の前部に車幅方向に沿って設けられ、前記ステアリングコラムが取り付けられた本体部を有すると共に、前記ステアリングコラムよりも車幅方向外側に設けられてフロントピラーに固定された固定部を有し、前記本体部と固定部とが分割されると共に車両上下方向に沿った軸線回りに相対回転可能に連結されているインパネリインフォースメントと、
を備えた自動車の車室前部構造。
【発明の詳細な説明】
【技術分野】
【０００１】
本発明は、自動車の車室前部構造に関する。
【背景技術】
【０００２】
下記特許文献１に記載された発明では、車室の前部にインパネリインフォースメントが設けられている。インパネリインフォースメントは、車幅方向に延びて左右の車体パネル（左右のフロントピラー）間に架け渡されている。このインパネリインフォースメントは、強度を必要とする運転席側の部分が太く、強度をあまり必要としない助手席側の部分が細く形成されている。このインパネリインフォースメントの運転席側の部分には、コラムブラケットを介してステアリングコラムが取り付けられている。
【先行技術文献】
【特許文献】
【０００３】
【特許文献１】特開２０１２−７６５３１号公報
【発明の概要】
【発明が解決しようとする課題】
【０００４】
ところで、自動車の前部におけるフロントサイドメンバよりも車幅方向外側の部分が対向車等の衝突物に対して前面衝突するような衝突形態（所謂微小ラップ衝突）では、フロントサイドメンバの変形によって衝突エネルギを吸収することができない。そのような場合、衝突側のフロントピラーが、後退してくる前輪からの荷重によって車両後方側へ変形し、左右のフロントピラー間に架け渡されたインパネリインフォースメントが、車幅方向中間部における太さが変化した部分で折れ曲ることが考えられる。
【０００５】
例えば、微小ラップ衝突によって運転席側のフロントピラーが車両後方側へ変形すると、インパネリインフォースメントにおける運転席側の部分が車両後方側へ変位することにより、インパネリインフォースメントが車幅方向中間部で折れ曲がることが考えられる。その場合、コラムブラケットを介してインパネリインフォースメントに取り付けられたステアリングコラムが、上記折れ曲り部を中心として車両後方側かつ車幅方向内側へ向けて斜めに変位することになるため、ステアリングホイールに配設されたエアバッグが正規の展開位置からずれる可能性がある。
【０００６】
本発明は上記事実を考慮し、微小ラップ衝突時におけるフロントピラーからの荷重によってステアリングコラムが変位することを抑制できる自動車の車室前部構造を得ることを目的とする。
【課題を解決するための手段】
【０００７】
請求項１に記載の発明に係る自動車の車室前部構造は、車室の前部に設けられたステアリングコラムと、車室の前部に車幅方向に沿って設けられ、前記ステアリングコラムが取り付けられたインパネリインフォースメントと、前記インパネリインフォースメントの車幅方向端部をフロントピラーに固定すると共に、前記フロントピラーが衝突荷重によって車両後方側へ変形する際には前記インパネリインフォースメントと前記フロントピラーとの相対移動を許容する固定手段と、を備えている。
【０００８】
請求項１に記載の発明では、例えば自動車が微小ラップ衝突をすることにより、フロントピラーが車両後方側へ変形すると、通常時にはインパネリインフォースメントの車幅方向端部をフロントピラーに固定している固定手段が、両者の相対移動を許容する。これにより、インパネリインフォースメントに取り付けられたステアリングコラムが、フロントピラーからの荷重によって変位することを防止又は抑制できる。
【０００９】
請求項２に記載の発明に係る自動車の車室前部構造は、請求項１において、前記固定手段は、前記インパネリインフォースメントの車幅方向端部に設けられた固定ブラケットと、当該固定ブラケット及び前記フロントピラーを貫通した状態で両者を締結した締結具とによって構成されており、前記固定ブラケット及び前記フロントピラーの少なくとも一方における前記締結具の貫通部が、車両前後方向を長手とする長尺状に形成されている。
【００１０】
請求項２に記載の発明では、フロントピラーが衝突荷重によって車両後方側へ変形する際には、インパネリインフォースメントの固定ブラケットとフロントピラーとの間に荷重が作用する。この荷重が固定ブラケットとフロントピラーとの間に作用する摩擦力を上回ると、固定ブラケット及びフロントピラーの少なくとも一方における締結具の貫通部に対して、締結具が車両前後方向に相対移動することにより、インパネリインフォースメントとフロントピラーとの相対移動が許容される。これにより、固定手段を簡単な構成にすることができる。
【００１１】
請求項３に記載の発明に係る自動車の車室前部構造は、請求項１において、前記固定手段は、前記インパネリインフォースメントの車幅方向端部に設けられた固定ブラケットと、当該固定ブラケット及び前記フロントピラーを貫通した状態で両者を締結した締結具とによって構成されており、前記固定ブラケットには、前記締結具の車両後方側の部分に脆弱部が設けられている。
【００１２】
請求項３に記載の発明では、フロントピラーが衝突荷重によって車両後方側へ変形する際には、インパネリインフォースメントの固定ブラケット及びフロントピラーを貫通した締結具から、固定ブラケットの脆弱部に対して荷重が入力される。この荷重によって脆弱部が変形することにより、インパネリインフォースメントとフロントピラーとの相対移動が許容される。これにより、固定手段を簡単な構成にすることができる。
【００１３】
請求項４に記載の発明に係る自動車の車室前部構造は、請求項１において、前記固定手段は、前記フロントピラーの前記変形によって破断する固定具である。
【００１４】
請求項４に記載の発明では、フロントピラーが衝突荷重によって車両後方側へ変形する際には、インパネリインフォースメントの固定ブラケットとフロントピラーとを固定した固定具が破断することにより、インパネリインフォースメントとフロントピラーとの相対移動が許容される。これにより、固定手段を簡単な構成にすることができる。
【００１５】
請求項５に記載の発明に係る自動車の車室前部構造は、車室の前部に設けられたステアリングコラムと、車室の前部に車幅方向に沿って設けられ、前記ステアリングコラムが取り付けられた本体部を有すると共に、前記ステアリングコラムよりも車幅方向外側に設けられてフロントピラーに固定された固定部を有し、前記本体部と固定部とが分割されると共に車両上下方向に沿った軸線回りに相対回転可能に連結されているインパネリインフォースメントと、を備えている。
【００１６】
請求項５に記載の発明では、例えば自動車が微小ラップ衝突をすることにより、フロントピラーが車両後方側へ変形すると、フロントピラーに固定されたインパネリインフォースメントの固定部が、フロントピラーと共に車両後方側へ変位する。この際には、当該固定部が、インパネリインフォースメントの本体部に対して車両上下方向に沿った軸線回りに相対回転する。これにより、上記本体部に取り付けられたステアリングコラムが、フロントピラーからの荷重によって変位することを防止又は抑制できる。
【発明の効果】
【００１７】
以上説明したように、本発明に係る自動車の車室前部構造では、微小ラップ衝突時におけるフロントピラーからの荷重によってステアリングコラムが変位することを抑制できる。
【図面の簡単な説明】
【００１８】
【図１】本発明の第１実施形態に係る自動車の車室前部構造が適用されて構成された自動車の車室前部の部分的な構成を示す斜視図である。
【図２】同車室前部構造の主要部の構成を示す平断面図であり、（Ａ）は通常時の状態を示しており、（Ｂ）は微小ラップ衝突によって運転席側のフロントピラーが後退した状態を示している。
【図３】同車室前部構造におけるインパネリインフォースメントの固定ブラケット周辺の構成を示す斜視図であり、（Ａ）は通常時の状態を示しており、（Ｂ）は微小ラップ衝突によって運転席側のフロントピラーが後退した状態を示している。
【図４】図３（Ａ）の一部を車体上方側から見た平断面図である。
【図５】比較例に係る車室前部構造において、運転席側のフロントピラーが微小ラップ衝突によって後退することにより、インパネリインフォースメントが折れ曲がった状態を示す図２（Ｂ）に対応した平断面図である。
【図６】本発明の第２実施形態に係る自動車の車室前部構造の部分的な構成を示す図４に対応した平断面図であり、（Ａ）は通常時の状態を示しており、（Ｂ）は微小ラップ衝突によって運転席側のフロントピラーが後退した状態を示している。
【図７】本発明の第３実施形態に係る自動車の車室前部構造の主要部の構成を示す平断面図であり、（Ａ）は通常時の状態を示しており、（Ｂ）は微小ラップ衝突によって運転席側のフロントピラーが後退した状態を示している。
【発明を実施するための形態】
【００１９】
＜第１の実施形態＞
本発明の第１実施形態に係る自動車の車室前部構造１０について、図１〜図５に基づいて説明する。なお、各図に適宜記す矢印ＦＲ、矢印ＵＰ、矢印ＯＵＴは、車両の前方向（進行方向）、上方向、車幅方向の外側をそれぞれ示している。以下、単に前後、左右、上下の方向を用いて説明する場合は、特に断りのない限り、車両前後方向の前後、車両左右方向（車幅方向）の左右、車両上下方向の上下を示すものとする。
【００２０】
（構成）
図１〜図３に示されるように、本実施形態に係る自動車の車室前部構造１０では、車室１２の前部（前端部）にインパネリインフォースメント１４が設けられている。このインパネリインフォースメント１４は、車幅方向を長手とする長尺状に形成されており、車室１２の前部に設けられたダッシュパネル１６の車両後方側に配置されている。このインパネリインフォースメント１４は、車体のドア枠の前縁部を構成する左右のフロントピラー１８Ｌ、１８Ｒの間に架け渡されている。
【００２１】
このインパネリインフォースメント１４は、金属製の長尺なパイプ材によって構成されたリインフォースメント本体２０を備えている。このリインフォースメント本体２０は、強度を必要とする運転席側（ここでは右側）の部分が大径部２０Ａとされ、強度をあまり必要としない車幅方向中央側及び助手席側の部分が大径部２０Ａよりも小径な小径部２０Ｂとされている。大径部２０Ａと小径部２０Ｂとは、車幅方向中央よりも運転席側に位置する接合部２０Ｃ（縮径部）において、溶接等の手段により互いに接合されている。
【００２２】
リインフォースメント本体２０の車幅方向両端部には、インパネリインフォースメント１４の取付部を構成する固定ブラケット２４Ｌ、２４Ｒがそれぞれ固定されている。各固定ブラケット２４Ｌ、２４Ｒは、例えば金属板によって形成されており、板厚方向が車幅方向に沿う姿勢で配設されている。これらの固定ブラケット２４Ｌ、２４Ｒは、車幅方向から見て略逆三角形状に形成されており、溶接等の手段によってリインフォースメント本体２０の車幅方向両端部にそれぞれ接合されている。
【００２３】
左右の固定ブラケット２４Ｌ、２４Ｒは、左右のフロントピラー１８Ｌ、１８Ｒの車幅方向内側面にそれぞれ当接している。各固定ブラケット２４Ｌ、２４Ｒには、それぞれ複数（ここでは３つ）のボルト２６が車幅方向内側から貫通している。これらのボルト２６は、フロントピラー１８Ｌ、１８Ｒの車幅方向内側の側壁に形成された円形の貫通孔２７をも貫通しており、フロントピラー１８Ｌ、１８Ｒの断面内に接合された３つのウェルドナット２８にそれぞれ螺合している。これにより、各固定ブラケット２４Ｌ、２４Ｒが各フロントピラー１８Ｌ、１８Ｒに締結固定されている。なお、ボルト２６及びウェルドナット２８の数は、３つに限らず適宜変更可能である。
【００２４】
また、インパネリインフォースメント１４の車幅方向中央部と、フロアパネル３０の車幅方向中央部に設けられたフロアトンネル部３０Ａとの間には、左右一対のフロアブレース３２Ｌ、３２Ｒが架け渡されている。左右のフロアブレース３２Ｌ、３２Ｒは、例えば板金材料によって形成されており、上端部がボルト及びナットによってインパネリインフォースメント１４に締結固定され、下端部がボルト及びナットによってフロアトンネル部３０Ａに締結固定されている。
【００２５】
インパネリインフォースメント１４の大径部２０Ａには、図示しない運転席の前方において、コラムブラケット３４（ステアリングサポートブラケット）が固定されている。コラムブラケット３４は、プレス成形品であり、溶接等の手段によって大径部２０Ａに接合されている。このコラムブラケット３４は、プレス成型品である上下一対のカウルブレース３６を介してカウル３８に連結されている。このカウル３８は、ダッシュパネル１６の上端部に設けられており、左右のフロントピラー１８Ｌ、１８Ｒ間に掛け渡されている。
【００２６】
上記コラムブラケット３４の下面側には、ステアリングコラム４０が取り付けられている。このステアリングコラム４０は、軸心部に配設された図示しないステアリングシャフトを備えており、ステアリングシャフトの後端部には、車両を操舵するためのステアリングホイール４２が取り付けられている。このステアリングホイール４２の中央部には、運転席用エアバッグ装置の構成部材である図示しないエアバッグモジュールが配設されている。このエアバッグモジュールは、車両の前面衝突が検知された際などに、運転席の乗員の上半身側へ向けてエアバッグ４６（図２（Ｂ）参照）を膨張展開させる構成になっている。
【００２７】
次に、本実施形態の要部について説明する。
【００２８】
図３（Ａ）に示されるように、前述したインパネリインフォースメント１４において、右側（運転席側）の固定ブラケット２４Ｒには、リインフォースメント本体２０よりも車両前方側に１つの長孔４８（貫通部）が形成されており、リインフォースメント本体２０よりも車両後方側に上下一対の切欠５０、５２（貫通部）が形成されている。これらの長孔４８及び切欠５０、５２には、前述した３つのボルト２６が貫通している（挿通されている）。これらのボルト２６は、前述した３つのウェルドナット２８と共に締結具を構成している。また、これらのボルト２６及びウェルドナット２８は、固定ブラケット２４Ｒと共に固定手段を構成している。
【００２９】
上記の長孔４８及び切欠５０、５２は、車両前後方向を長手とする長尺状に形成されており、車両上下方向の寸法がボルト２６のネジ部の直径よりも僅かに大径に設定される一方、車両前後方向の寸法がボルト２６のネジ部の直径よりも十分に大きく設定されている。また、切欠５０、５２は、固定ブラケット２４Ｒの後端縁部において、車両後方側へ開口している。各ボルト２６は、通常時には、図３（Ａ）に示されるように、長孔４８及び切欠５０、５２の前端部側に配置されている。なお、前述したフロントピラー１８Ｒの貫通孔２７は、ボルト２６のネジ部の直径よりも僅かに大径に設定されている。
【００３０】
図４に示されるように、固定ブラケット２４Ｒにおける長孔４８の後端部側には、車幅方向内側へ膨出した膨出部２５が設けられている。この膨出部２５は、例えば固定ブラケット２４Ｒの一部が切り起こされて形成されており、車両前方側が開口している。この膨出部２５は、内側にボルト２６の頭部を収容可能な大きさに形成されている。
【００３１】
なお、本実施形態では、左側（助手席側）の固定ブラケット２４Ｌには、上述の如き長孔４８、切欠５０、５２及び膨出部２５が設けられておらず、ボルト２６のネジ部よりも若干大径に形成された３つの円孔（貫通孔）に３つのボルト２６が挿通されている。
【００３２】
（作用及び効果）
次に、本実施形態の作用及び効果について説明する。
【００３３】
本実施形態では、自動車の運転席側が微小ラップ衝突をすることにより、運転席側のフロントピラー１８Ｒが車両後方側へ変形すると、通常時にはインパネリインフォースメント１４の車幅方向端部をフロントピラー１８Ｒに固定している固定手段（固定ブラケット２４Ｒ、ボルト２６及びウェルドナット２８）が、両者の相対移動を許容する。
【００３４】
具体的には、フロントピラー１８Ｒが衝突荷重Ｆ（図２（Ｂ）及び図３（Ｂ）参照）によって車両後方側へ変形する際には、インパネリインフォースメント１４の固定ブラケット２４Ｒとフロントピラー１８Ｒとの間に荷重が作用する。この荷重が固定ブラケット２４Ｒとフロントピラー１８Ｒとの間に作用する摩擦力を上回ると、通常時には長孔４８及び切欠５０、５２の前端部側に位置するボルト２６が長孔４８及び切欠５０、５２の後端部側へ移動することにより、固定ブラケット２４Ｒに対するフロントピラー１８Ｒの車両後方側への相対移動が許容される。
【００３５】
その結果、インパネリインフォースメント１４に取り付けられたステアリングコラム４０が、フロントピラー１８Ｒからの荷重によって変位することを防止又は抑制できる。これにより、例えばステアリングホイール４２に配設されたエアバッグ４６が正規の展開位置からずれないようにすることができる。つまり、図６に示される比較例１００のように、固定ブラケット２４Ｒとフロントピラー１８Ｒとの相対移動が許容されない場合、インパネリインフォースメント１４がフロントピラー１８Ｒと共に後退したり、図６に示される如く長手方向中間部で折れ曲がる可能性がある。その場合、ステアリングホイール４２から膨張展開したエアバッグ４６が車両後方側かつ車幅方向内側へ変位するが、本実施形態ではこれを回避することができる。
【００３６】
しかも、本実施形態では、インパネリインフォースメント１４自体を変形させる構成ではないため、インパネリインフォースメント１４の通常時の剛性を良好に確保することができる。その結果、コラムブラケット３４を介してインパネリインフォースメント１４に取り付けられたステアリングコラム４０が、走行時に振動することを抑制できるので、ステアリングホイール４２の操作フィールを良好にすることができる。
【００３７】
また、本実施形態では、長孔４８及び切欠５０、５２が形成された固定ブラケット２４Ｒと、ボルト２６及びウェルドナット２８とによって固定手段が構成されているので、固定手段を簡単な構成にすることができる。
【００３８】
次に、本発明の他の実施形態について説明する。なお、前記第１実施形態と基本的に同様の構成・作用については、前記第１実施形態と同符号を付与しその説明を省略する。
【００３９】
＜第２の実施形態＞
図６（Ａ）及び図６（Ｂ）には、本発明の第２実施形態に係る自動車の車室前部構造の部分的な構成が図４に対応した平断面図にて示されている。この実施形態では、固定ブラケット２４Ｒには、前記第１実施形態に係る長孔４８の代わりに円形の貫通孔６０が形成されている。また、この固定ブラケット２４Ｒには、貫通孔６０を貫通したボルト２６の車両後方側の部分に、脆弱部としての薄肉部６２が形成されている。この薄肉部６２は、固定ブラケット２４Ｒの他の部分よりも薄く形成されている。なお、図示は省略するが、この実施形態の固定ブラケット２４Ｒでは、前記第１実施形態において切欠５０、５２が形成された部位に、それぞれ上記貫通孔６０及び薄肉部６２が設けられている。上記以外の構成は、前記第１実施形態と同様である。
【００４０】
この実施形態では、フロントピラー１８Ｒが衝突荷重Ｆによって車両後方側へ変形する際には、インパネリインフォースメント１４の固定ブラケット２４Ｒ及びフロントピラー１８Ｒを貫通したボルト２６から、固定ブラケット２４Ｒの薄肉部６２に荷重が入力される。この荷重によって薄肉部６２が変形することにより、インパネリインフォースメント１４とフロントピラー１８Ｒとの相対移動を許容することができる。従って、前記第１実施形態と基本的に同様の効果を得ることができる。
【００４１】
＜第３の実施形態＞
図７（Ａ）及び図７（Ｂ）には、本発明の第３実施形態に係る自動車の車室前部構造の主要部の構成が平断面図にて示されている。この実施形態では、インパネリインフォースメント１４が、コラムブラケット３４よりも車幅方向外側の分割ラインにおいて、本体部７２と固定部７０とに分割されている。この固定部７０は、リインフォースメント本体２０の車幅方向外側端部と、固定ブラケット２４Ｌ、２４Ｒとによって構成されており、連結軸７４によって回転可能に連結されている。この連結軸７４は、軸線方向が車両上下方向に沿っており、固定部７０は、本体部７２に対して車両上下方向に沿った軸線回りに回転可能とされている。
また、この実施形態では、固定ブラケット２４Ｌ、２４Ｒが平面視で車幅方向内側へ膨出した断面ハット形状に形成されている。この固定ブラケット２４Ｌ、２４Ｒは、前記第１実施形態よりも板厚の薄い金属板によって形成されている。固定ブラケット２４Ｒには、前記第１実施形態に係る長孔４８及び切欠５０、５２の代わりに、ボルト２６のネジ部よりも若干大径に形成された円形の貫通孔（ボルト挿通孔）が形成されている。
この実施形態では、自動車の運転席側が微小ラップ衝突をすることにより、運転席側のフロントピラー１８Ｒが車両後方側へ変形すると、フロントピラー１８Ｒに固定されたインパネリインフォースメント１４の固定部７０が、フロントピラー１８Ｒと共に車両後方側へ変位する。この際には、固定ブラケット２６Ｒが変形されることにより、固定部７０が、インパネリインフォースメント１４の本体部７２に対して車両上下方向に沿った軸線回りに車両後方側へ相対回転する。これにより、上記本体部７２に取り付けられたステアリングコラム４０が、フロントピラー１８Ｒからの荷重によって変位することを防止又は抑制できる。
【００４２】
＜実施形態の補足説明＞
前記第１実施形態では、長孔４８及び切欠５０、５２が形成された固定ブラケット２６Ｒとボルト２６及びウェルドナット２８（締結具）とによって固定手段が構成され、また、前記第２実施形態では、円形の貫通孔６０及び薄肉部６２（脆弱部）が形成された固定ブラケット２６Ｒとボルト２６及びウェルドナット２８（締結具）とによって固定手段が構成された場合について説明したが、本発明はこれに限らず、インパネリインフォースメントの車幅方向端部をフロントピラーに固定すると共に、微小ラップ衝突時のフロントピラーの変形によって破断する固定具によって、固定手段を構成することができる。
つまり、例えば通常用いられるボルトよりも小径なボルト及びナット（締結具：固定具）を用いて、インパネリインフォースメントの車幅方向端部をフロントピラーに締結すればよい。その場合、微小ラップ衝突時のフロントピラーの変形によってボルトが破断することにより、インパネリインフォースメントとフロントピラーとの相対移動を許容することができるので、前記第１実施形態と基本的に同様の効果を得ることができる。
【００４３】
また、上記第１実施形態では、固定ブラケット２４Ｒに形成された長孔４８及び切欠５０、５２（何れも貫通部）が車両前後方向を長手とする長尺状に形成された構成にしたが、本発明はこれに限らず、固定ブラケット２４Ｒにおけるボルト２６の貫通部が円形の貫通孔とされ、フロントピラー１８Ｒにおけるボルト２６の貫通部が車両前後方向を長手とする長尺状に形成された構成にしてもよい。
【００４４】
また、本発明には含まれないが、上記第３実施形態において、インパネリインフォースメント１４の本体部７２と固定部７０とが、変形容易な材料（例えば樹脂材料）で形成された変形部材によって連結された構成にしてもよい。その場合、フロントピラー１８Ｒが車両後方側へ変形する際には、上記変形部材が衝突荷重によって変形することにより、インパネリインフォースメント１４の本体部７２とフロントピラー１８Ｒとの相対移動を許容することができる。同様に、本体部７２と固定部７０とが弱体部（脆弱部）を介して一体に接続された構成にしてもよい。その場合でも、上記弱体部が衝突荷重によって変形することにより、インパネリインフォースメント１４の本体部７２とフロントピラー１８Ｒとの相対移動を許容する
その他、本発明は、その要旨を逸脱しない範囲で種々変更して実施できる。また、本発明の権利範囲が上記実施形態に限定されないことは勿論である。
【符号の説明】
【００４５】
１０      自動車の車室前部構造
１２      車室
１４      インパネリインフォースメント
１８Ｌ、１８Ｒ      フロントピラー
２４Ｌ、２４Ｒ      固定ブラケット
２６      ボルト（締結具）
２８      ウェルドナット（締結具）
４０      ステアリングコラム
４８      長孔（貫通部）
５０、５２      切欠（貫通部）
６２      薄肉部（脆弱部）
７０      固定部
７２      本体部
【図１】
2015016718.tif 000003
【図２】
2015016718.tif 000004
【図３】
2015016718.tif 000005
【図４】
2015016718.tif 000006
【図５】
2015016718.tif 000007
【図６】
2015016718.tif 000008
【図７】
2015016718.tif 000009